(57)【要約】【課題】ガラス板装着作業における指の挟み込みを防止して、安全且つ簡略にガラス板装着作業を行うことができる前面枠を提供する。【解決手段】前面枠本体７の右部ガラス板収納枠１２と左部ガラス板収納枠１６にガラス板８を嵌め込むと、ガラス板８はスライドしながら下降してゆき、ガラス板保持部材２２は、レバー部２６が錘部２８の重量によって起立状態となっているので、保持テーブル部２５はガラス板８の保持状態となり、ガラス板８の下部左角部がガラス板保持部材２２の保持テーブル部２５に支持されて接触して停止する。このガラス板保持部材２２の作用により、下部ガラス板収納枠１３とガラス板８の下部端辺の間には作業員の手が入る程度の隙間Ｄが形成されることになる。このとき、ガラス板保持部材２２を矢印Ｚ方向に回転させることで、ガラス板８を安全に下部ガラス板収納枠１３へと装着することができる。【選択図】図８
2004275543.tif 000002
【特許請求の範囲】
【請求項１】
ガラス板を上下方向にスライドさせて抜き差しできるガラス板収納枠と、
該ガラス板収納枠の下部と前記ガラス板の下端との間に隙間を形成するガラス板保持部材と、
を備えたことを特徴とする遊技機の前面枠。
【請求項２】
前記ガラス板保持部材が前記ガラス板の保持状態にあるときにおいて、前記ガラス板収納枠とガラス板との間に形成される隙間は、人間の手を挟まない広さであることを特徴とする請求項１の遊技機の前面枠。
【請求項３】
前記ガラス板保持部材は、前記ガラス板を保持する保持状態と、前記ガラス板を保持しない非保持状態とを取り、前記保持状態と非保持状態とに状態が変化することを特徴とする請求項１の遊技機の前面枠。
【請求項４】
前記ガラス板保持部材は、前記ガラス板が挿入されていないときでも、前記保持状態の位置に初期設定されている回動部材又は付勢部材を備えることを特徴とする請求項１乃至３いずれかの遊技機の前面枠。
【請求項５】
前記ガラス板保持部材の回動部材は、自重による付勢力によって、前記保持状態となり、あるいは、前記付勢部材は、弾性材による付勢力で前記保持状態となることを特徴とする請求項４の遊技機の前面枠。
【発明の詳細な説明】
【０００１】
【発明の属する技術分野】
本発明は、遊技機の前面枠に関する。
【０００２】
【従来の技術】
遊技機の前面枠に関する従来の技術は、機枠の前面に開閉自在に前面枠を装着し、その前面枠にはガラス扉枠と前面板が開閉自在に装着されるようにしている（例えば特許文献１参照）。
【０００３】
【特許文献１】特開平７−８６１６号公報（第２〜３頁、図１）
パチンコ機Ａの機枠１の前面に前面枠２を開閉自在に装着し、その前面枠２にはガラス扉枠３と前面板４が開閉自在に装着されている。ガラス扉枠の後側には遊技盤５が固着されている。前面板４の前面に上部球受皿８が取り付けられ、前面枠２の下部には操作ハンドル９と下部球受皿１０が取り付けられている。この内、パチンコ機Ａの前面枠２にガラス扉枠３を設け、このガラス扉枠３に前面板４（ガラス板）を装着する構成を備えている。
【０００４】
【発明が解決しようとする課題】
しかしながら、従来の遊技機では、前面枠のガラス板収納枠に装着するガラス板が重いガラス板になっているため、前面枠からガラス板を抜いたり上部からガラス板を挿入する作業中に、作業員はガラス板の重量に耐えながら慎重に扱わなければならず、取り扱いが面倒でありガラス板が取り出し難く作業性も悪い。また、作業中にガラス板が下降して作業員の手などを挟み込むおそれがある。更には、特に、ガラス板を取り出す場合、ガラス板の上部をつまんで持ち上げなければならず、ガラス板が滑って落下し易く、また、ガラス板の挿入作業中などに、不用意に扱っているとガラス板が急激に下降するなど、ガラス板収納枠の下部に衝突してガラス板が破損するおそれがある。
【０００５】
本発明は、従来技術の有するこのような種々の問題点に鑑みなされたものであり、その目的とするところは、ガラス板の挿脱作業の容易化、手の挟み込みの防止、ガラス板の破損防止の課題を解決できる遊技機の前面枠を提供するものである。
【０００６】
【課題を解決するための手段及び効果】
請求項１の遊技機の前面枠は、ガラス板を上下方向にスライドさせて抜き差しできるガラス板収納枠と、該ガラス板収納枠の下部と前記ガラス板の下端との間に隙間を形成するガラス板保持部材と、を備えたことを特徴とする遊技機の前面枠である。請求項１記載の遊技機の前面枠によれば、前面枠のガラス板収納枠に挿入されたガラス板は、ガラス板収納枠に収まる前に前面枠に設けられているガラス板保持部材により一旦保持され、ガラス板下端面と前面枠との間にガラス板を安全に扱う隙間が形成されることにより、ガラス板交換の作業が安全且つ容易になる。これにより前記課題が好適に解決できる。
【０００７】
ここでガラス板収納枠は金属、樹脂、セラミック等、ガラス板を挿脱可能であって収容できるようなものであれば、その材質は問わない。また、ガラス板保持部材も金属、樹脂、セラミック等、ガラス板を保持できるようなものであれば、その材質は問わない。
【０００８】
請求項２の遊技機の前面枠は、前記ガラス板保持部材が前記ガラス板の保持状態にあるときにおいて、前記ガラス板収納枠とガラス板との間に形成される隙間は、人間の手を挟まない広さであることが好ましい。これにより、前記課題が好適に解決できる上、ガラス板を前面枠に装着中にガラス板が作業員の手から離れて下降しても、ガラス板はガラス板収納枠との間に安全な隙間を残して保持されるので、作業員の指がガラス板に挟み込みまれることを未然に防止できる。
【０００９】
請求項３の遊技機の前面枠は、前記ガラス板保持部材は、前記ガラス板を保持する保持状態と、前記ガラス板を保持しない非保持状態とを取り、前記保持状態と非保持状態とに状態が変化することが好ましい。これにより前記課題が好適に解決できる上、ガラス板を前面枠に装着する作業の際には、最初に保持状態となり、作業を進めるにしたがって非保持状態となるので、ガラス装着作業を余裕を持ってスムーズに行うことができる。
【００１０】
請求項４の遊技機の前面枠は、前記ガラス板保持部材は、前記ガラス板が挿入されていないときでも、前記保持状態の位置に初期設定されている回動部材又は付勢部材を備えることが好ましい。これにより前記課題が好適に解決できる上、ガラス板保持部材は常時保持状態となっているため、ガラス板装着作業時にガラス板を下降させたとしても、ガラス板はガラス板保持部材で受け止められるので、ガラス板を挿脱する作業の安全性が高まる。また、ガラス板保持部材は簡単な操作又は作業員が操作することなく自動的に保持状態となるので、ガラス装着作業中の安全性と作業性が向上する。
【００１１】
請求項５の遊技機の前面枠は、前記ガラス板保持部材の回動部材は、自重による付勢力によって、前記保持状態となり、あるいは、前記付勢部材は、弾性材による付勢力で前記保持状態となることが好ましい。これにより、前記課題が好適に解決できる上、簡素な構造でコストが安くなる効果がある。
【００１２】
前記ガラス板収納枠は、下端部の一部分が欠落されている欠落領域を有し、前記ガラス板保持部材は、前記ガラス板収納枠の下端部に配置され、前記ガラス板が前記ガラス板収納枠に収容されていないときには、前記欠落領域を超えてガラス板通過領域に対して進出しており、前記ガラス板が前記ガラス板収納枠に差し込まれると、該ガラス板を保持状態とし、該ガラス板が更に下降すると、前記ガラス板通過領域から退避することもできる。これにより、前記課題が好適に解決できる上、配置スペースが小さいので、省スペースに寄与することができる。
【００１３】
前記ガラス板保持部材は、略Ｌ字形状の部材であって、回動可能に裏面に軸着されていて、前記ガラス板を保持する保持テーブル部を備え、該保持テーブル部が起立状態と倒伏状態とに変化可能であって、前記ガラス板を前記起立状態で支持し、前記ガラス板保持部材を回動させると前記倒伏状態になり、前記ガラス板が更に下降し、前記ガラス板に収納されるとともに、前記保持状態から非保持状態に変化することもできる。これにより前記課題が好適に解決できる上、前記ガラス板保持部材の回動作用によって、ガラス板の自重による降下作用を有効に利用することができるので、操作を容易にすることができる。
【００１４】
前記ガラス板保持部材は、ばねでガラス板方向に付勢される水平軸と、水平軸の端部に形成され前記ガラス板の先端が接触するクサビ部と、を備え、前記ガラス板を前記クサビ部において摩擦係合により保持し、該ガラス板が更に下方に押し込まれると該ガラス板に加わる押し込み力が摩擦係合力に打ち勝って前記ガラス板に収納されるとともに、前記保持状態から非保持状態に変化することもできる。これにより、前記課題が好適に解決できる上、摩擦力とばね力の有効利用によって、ガラス板の性質にマッチしたロックを行うことができる。
【００１５】
前記ガラス板はその下端の角部を斜めに切り欠いた切欠部を備え、前記ガラス板保持部材は、ばねでガラス板方向に付勢される水平軸と、水平軸の端部に形成され前記ガラス板の切欠部が接触するローラと、を備え、前記切欠部を前記ローラが摩擦係合により保持し、該ガラス板が更に下方に押し込まれると該ガラス板に加わる押し込み力が摩擦係合力に打ち勝って前記ローラが回転しながら前記ガラス板に収納されるとともに、前記保持状態から非保持状態に変化することもできる。これにより、前記課題が好適に解決できる上、摩擦力の有効利用によって、ガラス板の性質にマッチしたロックが可能となり、ローラにより円滑なガラス板の動きを実現することができる。
【００１６】
前記ガラス板保持部材は、ばねで上方に付勢される垂直軸と、該垂直軸の上端部に形成され前記ガラスを保持する保持片と、前記垂直軸と結合するトグル・ロック機構を備え、前記ガラス板を前記保持片においてばねの上方への付勢力により保持し、該ガラス板が更に下方に押し込まれると該ガラス板に加わる押し込み力が付勢力に打ち勝って前記ガラス板に収納されるとともに、前記トグル・ロック機構がロックされ、前記保持状態から非保持状態に変化し、再度、前記ガラス板を押し込むと、前記非保持状態から保持状態に変化することもできる。これにより、前記課題が好適に解決できる上、ガラス板の装着作業中に作業員が押し込んだガラス板の圧力を確実にガラス板保持部材に伝達できるので、ガラス板の保持状態から非保持状態へとガラス板を押し込んで切り替える際に、少ない力で容易に切り替えることができる。
【００１７】
【発明の実施の形態】
本発明を適用する実施形態１のパチンコ機の前面枠１は、図１に示す通り、機枠２、操作ハンドル３、下部球受皿４、遊技盤５等から成るパチンコ遊技機６に取り付けられるものである。以下、本実施形態の前面枠１について、図２〜図５を参照して説明する。
【００１８】
前面枠１は、図１〜３に示す通り、前面枠本体７に二重ガラス板を構成するガラス板８を装着した状態で機枠２にピン９で開閉自在に取り付けられ、ロック部１０で機枠２へロックされるようになっている。この前面枠本体７は、表側から見ると、中央に遊技盤５を透視するガラス窓１１が開口形成され、このガラス窓１１の裏面の右側周辺部に右部ガラス板収納枠１２が設けられ、ガラス窓１１の裏面下側周辺部には下部ガラス板収納枠１３が設けられている。この右部ガラス板収納枠１２と下部ガラス板収納枠１３とはＬ字形状をなしている。この右部ガラス板収納枠１２と下部ガラス板収納枠１３の内側面には、ガラス板８の挿入方向に平行な溝１４ａ，１４ｂ及び１５ａ，１５ｂがそれぞれ２本ずつ形成され、この溝１４ａ，１４ｂ及び１５ａ，１５ｂにガラス板８がスライドしながら挿入されるようになっている。前面枠本体７は、ガラス窓１１の裏面の左側周辺部に垂直に左部ガラス板収納枠１６が設けられている。左部ガラス板収納枠１６には、平行な２本の溝１７ａ，１７ｂが形成され、この溝１７ａ，１７ｂにガラス板８が挿入されるようになっている。下部ガラス板収納枠１３は左端辺１８が短く形成され、また、左部ガラス板収納枠１６は下部端辺１９が短く形成されている。ガラス板保持部材２２は、左端辺１８と下部端辺１９との間が不連続に成っている欠落領域Ｆ（図４点線で示すもの）からガラス板通過領域に対して出没可能に回動するように配置されている。前面枠本体７の裏側のピン孔２１にガラス板保持部材２２が軸着されている（矢印Ｘ参照）。ガラス板保持部材２２は、図２、図３の矢印Ｙで示す通り、ガラス板８を保持する保持状態と、前記ガラス板８を保持しない非保持状態とを取り、保持状態と非保持状態とに状態が交互に変化するものである。ストッパ２３はガラス板保持部材２２をガラス保持状態で係止するものである。ガラス板保持部材２２の保持状態においては下部ガラス板収納枠１３とガラス板８の下端との間に隙間Ｄ（図６参照）を形成するものであり、この保持状態にあるときにおいて、下部ガラス板収納枠１３とガラス板８との間に形成される隙間Ｄは、人間の手を挟まない広さ、つまり、人間の指が入る大きさである。
【００１９】
ガラス板保持部材２２は、図５に示す通り、ガラス板８の下部右角部２４（図２参照）を受け止めて保持する保持テーブル部２５、保持テーブル部２５と直交し保持テーブル２５よりも長いレバー部２６、中心部を貫通して固定された回転軸２７、レバー部２６と直交し錘（ここではパチンコ球）を固定する錘部２８と、レバー部２６に設けられ手で持てるような形状の操作片２９から構成されている。これにより、ガラス板保持部材２２は、回転軸２７を介して前面枠本体７のピン孔２１に取り付けられると、ガラス板８が挿入されていないときには、錘部２８の自重によりレバー部２６が立ち上がって保持テーブル部２５が常時、垂直上方を向く（上面が水平になる）ように設定されている。なお、本実施形態では、錘部２８を用いているが、これに限定されるものではなく、例えばバネなどの弾性部材を用いることも考えられる。
【００２０】
本実施形態１の前面枠１の作用について説明する。図６、図７に示す通り、前面枠本体７の右部ガラス板収納枠１２と左部ガラス板収納枠１６にガラス板８を嵌め込むと、ガラス板８はスライドしながら下降してゆき、ガラス板保持部材２２は、図７に示す通り、レバー部２６が錘部２８の重量によって起立状態となっているので、保持テーブル部２５はガラス板８の保持状態となり、ガラス板８の下部左角部２４がガラス板保持部材２２の保持テーブル部２５に支持されて接触して停止する。このガラス板保持部材２２の作用により、下部ガラス板収納枠１３とガラス板８の下部端辺の間には作業員の手が入る程度の隙間Ｄが形成されることになる。
【００２１】
ガラス板８の保持状態において操作片２９を手で持って、図７に示す通りガラス板保持部材２２を矢印Ｚ方向（時計方向）に回動させると、下部左角部２４が保持テーブル部２５に支持されながら、ガラス板８は、ガラス板保持部材２２の回動作用と、自重による降下作用によって緩い速度で下降する。図８に示す通り、ガラス板８の下端が下部ガラス板収納枠１３に収まり、ガラス板８の装着は完了する。保持テーブル部２５は、回動し倒伏状態となり、ガラス板８の下部左角部２４から離れてガラス板８とは非接触となる。
【００２２】
また、前面枠本体７に装着されているガラス板８を取り出す作業の場合は、ガラス板保持部材２２を反時計方向に回動させると、ガラス板８が下部ガラス板収納枠１３から緩い速度で持ち上がり、ガラス板８の下端が保持テーブル部２５で保持されることで隙間Ｄが形成される。この隙間Ｄに指を入れることで、ガラス板８を持ち上げることができ、ガラス板８の取り外し作業を容易に行なうことができる。
【００２３】
このように、本実施形態１の前面枠１によれば、以下の効果を奏する。
（１）ガラス板保持部材２２を設けたことで、前面枠本体７にガラス板８を装脱する際、作業員が手を挟み込むなどの不測の事態が未然に防止でき、作業時の安全性が飛躍的に向上する。
（２）前面枠本体７にガラス板８を挿入する作業時には、ガラス板８の下端辺と下部ガラス板収納枠１３との間に隙間Ｄができるのでガラス板８の挿入作業あるいは取り出し作業などの交換作業が極めて容易になる。
（３）ガラス板保持部材２２は、錘部２８（又は弾性部材）により、ガラス板保持状態に復帰するので、作業員の人為的ミスを未然に防ぐことができる。
（４）ガラス板保持部材２２は、回転軸２７を介して回動自在にすることで、作業員が容易に操作ができる。
【００２４】
実施形態２の前面枠３１は、図９（ａ）（ｂ）に示す通り、概ね実施形態１と同様の構造であり、要素の番号を３０番台として共通要素については単に図示するにとどめて説明を援用し、異なる要素を説明する。実施形態２の前面枠３１は、ガラス板保持部材３２の形状及び構造が異なる。ガラス板保持部材３２は、コイルばね３３が掛装されガラス板３４の方向に付勢される水平軸３５と、水平軸３５の端部に形成されガラス板３４の先端が接触するクサビ部３６と、を備え、ガラス板３４により押し込まれると保持状態から非保持状態に変化する摩擦係合部である。この内、クサビ部３６は、図に示す通り、上端面がガラス板３４の下部左角部３７の垂直面に対して内側斜めに鋭角をなすようカットされたクサビ３８を成し、裏面が水平軸３５の先端部に固定されている。クサビ部３６は、水平軸３５に取り付けられているコイルばね３３の付勢力によりガラス板収納枠３９の欠落領域Ｆからガラス板通過領域に常時突出している。クサビ部３６にガラス板３４の下部左角部３７が触れると（図９（ａ）参照）、ガラス板３４が自重で下降する力は、クサビ３８の傾斜面を通じて水平軸３５に加わる。水平軸３５は、コイルばね３３の弾性力によりクサビ部３６をガラス板３４の方向に押し出しているので、クサビ３８がガラス板３４の下部左角部３７を押さえ込み、下降しようとするガラス板３４の下部左角部３７は、クサビ３８の傾斜面で発生する摩擦力により下降を阻止されて保持される（図９（ａ）参照）。この保持状態からガラス板３４が更に下方に押し込まれるとガラス板３４に加わる押し込み力が摩擦係合力に打ち勝ってガラス板３４がガラス板収納枠３９に収納されるとともに、ガラス板保持部材３２は、ガラス板３４の保持状態から非保持状態に変化する（図９（ｂ）参照）。このときコイルばね３３の付勢力によりガラス板３４を横方向から付勢している。ガラス板３４をコイルばね３３の付勢力に抗して上方に持ち上げると、前記の保持状態に移行し、隙間Ｄが形成される。その他の構成、作用は実施形態１を援用する。
【００２５】
実施形態３の前面枠４１は、図１０（ａ）（ｂ）に示す通り、概ね実施形態１と同様の構造であり、要素の番号を４０番台として共通要素については単に図示するにとどめて説明を援用し、異なる要素を説明する。実施形態３の前面枠４１は、ガラス板保持部材４２の形状及び構造が異なる。実施形態３において、ガラス板４３はその下端の角部を斜めに切り欠いた切欠部４４を備え、ガラス板保持部材４２は、コイルばね４５、コイルばね４５が掛装されるガラス板方向に付勢される水平軸４６と、水平軸４６の端部に形成されガラス板４３の切欠部４４が接触するローラ４７と、を備え、ガラス板４３によりローラ４７が押し込まれると保持状態から非保持状態に変化する摩擦係合部である。ローラ４７は、水平軸４６に取り付けられているコイルばね４５の付勢力によりガラス板収納枠４８の欠落領域Ｆからガラス板通過領域に常時突出している。ローラ４７にガラス板４３の切欠部４４が触れると（図１０（ａ）参照）、ガラス板４３の下降する力は、ローラ４７を通じて水平軸４６に加わる。水平軸４６は、コイルばね４５の弾性力によりローラ４７をガラス板４３の方向に押し出すので、下降しようとするガラス板４３は、ローラ４７と切欠部４４との接触面で発生する摩擦力により下降を阻止されて保持される（図１０（ａ）参照）。この保持状態からガラス板４３が更に下方に押し込まれるとガラス板４３に加わる押し込み力が摩擦係合力に打ち勝ってローラ４７が回転しながらガラス板４３がガラス板収納枠４８に収納されるとともに、前記保持状態から非保持状態に変化する（図１０（ｂ）参照）。ガラス板４３をコイルばね４５の付勢力に抗して上方に持ち上げると、前記の保持状態に移行し、隙間Ｄ（図１０（ａ）参照）が形成される。その他の構成、作用は実施形態１を援用する。
【００２６】
実施形態４の前面枠５１は、図１１（ａ）（ｂ）（ｃ）に示す通り、概ね実施形態１と同様の構造であり、要素の番号を５０番台として共通要素については単に図示するにとどめて説明を援用し、異なる要素を説明する。実施形態４の前面枠５１は、ガラス板保持部材５２の形状及び構造が異なる。実施形態４のガラス板保持部材５２は、コイルばね５３、トグル・ロック（図示略）に結合し、コイルばね５３が掛装されて上方に付勢される垂直軸５４、垂直軸５４の上端部に固定される受け部材５５から構成されている。垂直軸５４はコイルばね５３の付勢力により、通常は上方に伸び出していて、下部ガラス板収納枠５８の欠落領域Ｆからガラス板通過領域に常時突出して、保持状態となっている。従って、ガラス板５６が下降すると、受け部材５５がガラス板５６の下部左角部５７を支える。これにより、下部ガラス板収納枠５８との間に隙間Ｄが形成される（図１１（ａ）参照）。ガラス板５６に力を加えると、受け部材５５はガラス板５６の下部端辺に押される。垂直軸５４は、コイルばね５３の付勢力に逆らって下がりロックがかかる。これにより、ガラス板５６は下部ガラス板収納枠５８に収まる（図１１（ｂ）参照）。さらに、ガラス板５６に力を加えると、受け部材５５はガラス板５６の下部左角部５７に押されてトグル・ロックによりロックが外れる。ロックが外れると、コイルばね５３の付勢力により上方に伸びた保持状態に復帰する。これにより、下部ガラス板収納枠５８との間に隙間Ｄが再度形成される（図１１（ｃ）参照）。このように、様々な実施形態が考えられ、いずれも実施形態１と同様の効果が得られる。
【００２７】
なお、本発明は、上述の実施の形態に限定されるものではなく、本発明の技術的思想を逸脱しない範囲に於て、改変等を加えることが出来るものであり、それらの改変、均等物等も本発明の技術的範囲に含まれることとなる。
【図面の簡単な説明】
【図１】本実施形態の前面枠が適用されるパチンコ遊技機の正面図である。
【図２】本実施形態の前面枠を前方から見た斜視図である。
【図３】同前面枠を後方から見た斜視図である。
【図４】同前面枠の側面図（ａ）、正面図（ｂ）、平面図（ｃ）である。
【図５】同ガラス板保持部材の正面図（ａ）、背面図（ｂ）、側面図（ｃ）、平面図（ｄ）である。
【図６】同前面枠のガラス保持状態の正面図である。
【図７】同前面枠のガラス保持状態の背面図である。
【図８】同前面枠のガラス非保持状態の背面図である。
【図９】実施形態２の前面枠のガラス保持状態（ａ）、ガラス非保持状態（ｂ）を表わす作用説明図である。
【図１０】実施形態３の前面枠のガラス保持状態（ａ）、同ガラス非保持状態（ｂ）を表わす作用説明図である。
【図１１】実施形態４のガラス保持状態（ａ）、ガラス非保持状態（ｂ）、ガラス再保持状態（ｃ）を表わす作用説明図である。
【符号の説明】
１…前面枠    ２…機枠    ３…操作ハンドル
４…下部球受皿    ５…遊技盤    ６…パチンコ遊技機
７…前面枠本体    ８…ガラス板    ９…ピン
１０…ロック部    １１…ガラス窓
１２…右部ガラス板収納枠    １３…下部ガラス板収納枠
１４ａ，１４ｂ，１５ａ，１５ｂ，１７ａ，１７ｂ…溝
１６…左部ガラス板収納枠    １８…左端辺    １９…下部端辺
２１…ピン孔    ２２…ガラス板保持部材    ２３…ストッパ
２４…下部左角部    ２５…保持テーブル部
２６…レバー部    ２７…回転軸    ２８…錘部
２９…操作片    ３１…前面枠    ３２…ガラス板保持部材
３３…コイルばね    ３４…ガラス板    ３５…水平軸
３６…クサビ部    ３７…下部左角部    ３８…クサビ
３９…ガラス板収納枠    ４１…前面枠
４２…ガラス板保持部材    ４３…ガラス板    ４４…切欠部
４５…コイルばね    ４６…水平軸    ４７…ローラ
４８…ガラス板収納枠    ５１…前面枠
５２…ガラス板保持部材    ５３…コイルばね
５４…垂直軸    ５５…受け部材    ５６…ガラス板
５７…下部左角部    ５８…ガラス板収納枠
Ｄ…隙間    Ｆ…欠落領域    Ｘ，Ｙ，Ｚ…矢印
【図１】
2004275543.tif 000003
【図２】
2004275543.tif 000004
【図３】
2004275543.tif 000005
【図４】
2004275543.tif 000006
【図５】
2004275543.tif 000007
【図６】
2004275543.tif 000008
【図７】
2004275543.tif 000009
【図８】
2004275543.tif 000010
【図９】
2004275543.tif 000011
【図１０】
2004275543.tif 000012
【図１１】
2004275543.tif 000013